【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
外部のクライアント装置とネットワークを介して通信する撮像装置であって、
撮像光学系と、
前記撮像光学系によって結像された被写体の像を撮像して映像信号を生成する撮像手段と、
低輝度の被写体に対し高感度撮影を行う高感度撮影手段と、
前記撮像光学系における光路上の赤外線遮断フィルタを挿脱するための挿脱手段と、
前記ネットワークを介して前記挿脱手段による赤外線遮断フィルタの挿脱を前記撮像装置に自動で制御させるための自動挿脱制御命令とともに前記挿脱手段による赤外線遮断フィルタの挿脱に関する自動調整情報を前記外部のクライアントから受信するための受信手段と、
前記受信手段により受信された自動挿脱制御命令および自動調整情報に基づき前記挿脱手段と前記高感度撮影手段とを自動制御するための制御手段と、を具備し、
前記自動調整情報が、前記赤外線遮断フィルタを前記撮像光学系の光路上に挿入する場合の第一の自動調整情報、前記赤外線遮断フィルタを前記撮像光学系の光路上から抜去する場合の第二の自動調整情報のどちらか一方または両方と、前記赤外線遮断フィルタの前記撮像光学系の光路上からの挿脱に共通に使用される第三の自動調整情報とを含む場合には、
前記制御手段は、
前記第一、及び、第二の自動調整情報のどちらか一方または両方に基づき前記挿脱手段を自動で制御し、
前記第三の自動調整情報に基づき前記高感度撮影手段を自動で制御することを特徴とする撮像装置。
【請求項２】
色信号のゲインを高く設定して撮影する高色信号ゲイン撮影モードと、
撮像素子の光電蓄積時間を制御して撮影する蓄積時間制御撮影モードと、
同一画素のデータを複数フレームにわたって加算して撮影する複数フレーム加算撮影モードと、
のどれか一つのモードあるいは複数のモードの組み合わせにより前記高感度撮影を行うことを特徴とする請求項１に記載の撮像装置。
【請求項３】
外部のクライアント装置にネットワークで接続された撮像装置であって、
撮像光学系と、
前記撮像光学系により結像された被写体の像を、通常感度または高感度で撮像する撮像手段と、
赤外線を遮断する赤外線遮断フィルタと、
前記撮像光学系の光路に対して前記赤外線遮断フィルタを挿脱する挿脱手段と、
前記赤外線遮断フィルタの挿脱に関する自動調整情報を、前記外部のクライアント装置から前記ネットワークを介して受信する受信手段と、
前記受信手段により受信された自動調整情報に基づき、前記挿脱手段および前記撮像手段を自動で制御する制御手段と、
前記自動調整情報に関する境界型情報を、前記外部のクライアントに前記ネットワークを介して送信する送信手段と、
を備え、
前記高感度は、前記通常感度よりも感度が高く、
前記送信手段により送信される境界型情報は、前記挿脱手段による撮像光学系の光路に対する赤外線遮断フィルタの挿脱と前記撮像手段による高感度での撮像とを組み合わせて実行するか否かを示すことを特徴とする撮像装置。
【請求項４】
外部装置とネットワーク経由で通信する撮像装置であって、
撮像光学系と、
赤外線を遮断する赤外線遮断フィルタと、
前記撮像光学系の光路に前記赤外線遮断フィルタを挿脱する挿脱手段と、
前記撮像光学系により結像された被写体の像を撮像する撮像手段と、
前記赤外線遮断フィルタを前記撮像光学系の光路から抜去すること以外の手段で、前記撮像手段から出力される映像信号を明るくする高感度化手段と、
前記赤外線遮断フィルタの挿脱に関する調整情報が記述される調整コマンドであって、前記赤外線遮断フィルタを前記光路に挿入する場合及び前記赤外線遮断フィルタを前記光路から抜去する場合のそれぞれについて前記調整情報が別々に記述されることができる調整コマンドを、前記外部装置からネットワーク経由で受信する受信手段と、
前記受信手段で受信された調整コマンドに基づき、前記高感度化手段及び前記挿脱手段のそれぞれを互いに異なるタイミングで制御する制御手段と、
を備えることを特徴とする撮像装置。
【請求項５】
前記調整コマンドは、前記赤外線遮断フィルタを前記光路に挿入する場合及び前記赤外線遮断フィルタを前記光路から抜去する場合のそれぞれについて前記調整情報が共通で記述されることもできることを特徴とする請求項４に記載の撮像装置。
【請求項６】
前記調整コマンドは、前記挿脱手段による赤外線遮断フィルタの挿脱を前記撮像装置に自動で制御させるためのコマンドであることを特徴とする請求項５に記載の撮像装置。
【請求項７】
前記制御手段は、前記受信手段により調整情報が別々に記述された調整コマンドが受信された場合に、前記赤外線遮断フィルタを前記光路から抜去する場合について記述された調整情報に基づき、前記高感度化手段を制御することを特徴とする請求項６に記載の撮像装置。
【請求項８】
前記制御手段による高感度化手段の制御は、前記高感度化手段を動作させるか否かを判定することを特徴とする請求項７に記載の撮像装置。
【請求項９】
前記制御手段は、前記受信手段により調整情報が別々に記述された調整コマンドが受信された場合に、前記赤外線遮断フィルタを前記光路に挿入する場合について記述された調整情報に基づき、前記高感度化手段を制御することを特徴とする請求項６に記載の撮像装置。
【請求項１０】
前記制御手段による高感度化手段の制御は、前記高感度化手段を動作させるか否かを判定することを特徴とする請求項９に記載の撮像装置。
【請求項１１】
前記制御手段は、前記受信手段により調整情報が共通で記述された調整コマンドが受信された場合に、当該調整情報に基づき、前記高感度化手段を制御することを特徴とする請求項６に記載の撮像装置。
【請求項１２】
前記制御手段による前記高感度化手段の制御は、前記高感度化手段を動作させるか否かを判定することであることを特徴とする請求項１１に記載の撮像装置。
【請求項１３】
前記制御手段は、前記受信手段により調整情報が別々に記述された調整コマンドが受信された場合に、前記赤外線遮断フィルタを前記光路に挿入する場合について記述された調整情報に基づき、前記高感度化手段を動作させず且つ前記赤外線遮断フィルタを前記光路から挿入する、か否かを判定し、前記赤外線遮断フィルタを前記光路に抜去する場合について記述された調整情報に基づき、前記高感度化手段を動作させ且つ前記赤外線遮断フィルタを前記光路から抜去する、か否かを判定することを特徴とする請求項１２に記載の撮像装置。
【請求項１４】
前記調整情報は、前記被写体の輝度、又は当該輝度が所定閾値を下回ってから経過した時間を示す経過時間を含むことを特徴とする請求項３乃至１３のいずれか１項に記載の撮像装置。
【請求項１５】
撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、前記高感度化部及び前記挿脱部のそれぞれを互いに異なるタイミングで制御する制御部と、を有する撮像装置とネットワーク経由で通信するクライアント装置であって、
前記赤外線遮断フィルタの挿脱に関する調整情報が記述される調整コマンドを、前記撮像装置にネットワーク経由で送信する送信手段、
を備え、
前記送信手段により送信される調整コマンドは、前記赤外線遮断フィルタを前記光路に挿入する場合及び前記赤外線遮断フィルタを前記光路から抜去する場合のそれぞれについて前記調整情報が別々に記述されることができるコマンドであって、前記制御部が前記高感度化部及び前記挿脱部のそれぞれを互いに異なるタイミングで制御するために必要なコマンドであることを特徴とするクライアント装置。
【請求項１６】
前記調整情報をユーザに入力させるためのユーザーインターフェース手段を更に備え、
前記送信手段により送信される調整コマンドは、前記ユーザーインターフェース手段により入力された調整情報が記述されることを特徴とする請求項１５に記載のクライアント装置。
【請求項１７】
前記調整情報に関する挿脱記述情報を前記撮像装置からネットワーク経由で取得する取得手段を更に備え、
前記ユーザーインターフェース手段は、前記取得手段により取得された挿脱記述情報に基づき、前記調整情報を入力させることを特徴とする請求項１６に記載のクライアント装置。
【請求項１８】
前記取得手段により取得された挿脱記述情報は、前記赤外線遮断フィルタを前記光路に挿入する場合及び前記赤外線遮断フィルタを前記光路から抜去する場合のそれぞれについて、前記送信手段により送信される調整コマンドに前記調整情報が別々に記述されることを示すことができることを特徴とする請求項１７に記載のクライアント装置。
【請求項１９】
前記取得手段により取得された挿脱記述情報は、前記赤外線遮断フィルタを前記光路に挿入する場合及び前記赤外線遮断フィルタを前記光路から抜去する場合のそれぞれについて、前記送信手段により送信される調整コマンドに前記調整情報が共通で記述されることを示すことができることを特徴とする請求項１７に記載のクライアント装置。
【請求項２０】
前記ユーザーインターフェース手段は、前記赤外線遮断フィルタを前記光路に挿入する場合及び前記赤外線遮断フィルタを前記光路から抜去する場合のそれぞれについて前記調整情報を共通で入力させることを特徴とする請求項１６に記載のクライアント装置。
【請求項２１】
前記ユーザーインターフェース手段は、前記赤外線遮断フィルタを前記光路に挿入する場合及び前記赤外線遮断フィルタを前記光路から抜去する場合のそれぞれについて前記調整情報を別々に入力させることを特徴とする請求項１６に記載のクライアント装置。
【請求項２２】
撮像装置と、当該撮像装置とネットワーク経由で通信するクライアント装置と、で構成される撮像システムであって、
前記撮像装置は、
撮像光学系と、
赤外線を遮断する赤外線遮断フィルタと、
前記撮像光学系の光路に前記赤外線遮断フィルタを挿脱する挿脱手段と、
前記撮像光学系により結像された被写体の像を撮像する撮像手段と、
前記赤外線遮断フィルタを前記撮像光学系の光路から抜去すること以外の手段で、前記撮像手段から出力される映像信号を明るくする高感度化手段と、
前記高感度化手段及び前記挿脱手段のそれぞれを互いに異なるタイミングで制御する制御手段と、
を備え、
前記クライアント装置は、
前記赤外線遮断フィルタの挿脱に関する調整情報が記述される調整コマンドを、前記撮像装置にネットワーク経由で送信する送信手段、
を備え、
前記送信手段により送信される調整コマンドは、前記赤外線遮断フィルタを前記光路に挿入する場合及び前記赤外線遮断フィルタを前記光路から抜去する場合のそれぞれについて前記調整情報が別々に記述されることができ、
前記受信手段は、前記送信手段により送信された調整コマンドに基づき、前記高感度化手段及び前記挿脱手段のそれぞれを互いに異なるタイミングで制御することを特徴とする撮像システム。
【請求項２３】
撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有し、外部装置とネットワーク経由で通信する撮像装置の制御方法であって、
前記赤外線遮断フィルタの挿脱に関する調整情報が記述される調整コマンドであって、前記赤外線遮断フィルタを前記光路に挿入する場合及び前記赤外線遮断フィルタを前記光路から抜去する場合のそれぞれについて前記調整情報が別々に記述されることができる調整コマンドを、前記外部装置からネットワーク経由で受信する受信ステップと、
前記受信ステップにて受信された調整コマンドに基づき、前記高感度化部及び前記挿脱部のそれぞれを互いに異なるタイミングで制御する制御ステップと、
を備えることを特徴とする撮像装置の制御方法。
【請求項２４】
撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、前記高感度化部及び前記挿脱部のそれぞれを制御する制御部と、を有する撮像装置とネットワーク経由で通信するクライアント装置の制御方法であって、
前記赤外線遮断フィルタの挿脱に関する調整情報が記述される調整コマンドを、前記撮像装置にネットワーク経由で送信する送信ステップ、
を備え、
前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができるコマンドであって、前記制御部が前記高感度化部及び前記挿脱部のそれぞれを互いに異なるタイミングで制御するために必要なコマンドであることを特徴とするクライアント装置の制御方法。
【請求項２５】
撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有する撮像装置と、当該撮像装置とネットワーク経由で通信するクライアント装置と、で構成される撮像システムの制御方法であって、
前記撮像装置にて
前記高感度化部及び前記挿脱部のそれぞれを制御する制御ステップ、
を備え、
前記クライアント装置にて、
前記赤外線遮断フィルタの挿脱に関する調整情報が記述される調整コマンドを、前記撮像装置にネットワーク経由で送信する送信ステップ、
を備え、
前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができ、
前記制御ステップにて、前記送信ステップにて送信された調整コマンドに基づき、前記高感度化部及び前記挿脱部のそれぞれを互いに異なるタイミングで制御することを特徴とする撮像システムの制御方法。
【請求項２６】
撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有し、外部装置とネットワーク経由で通信する撮像装置を制御するためのプログラムであって、
前記赤外線遮断フィルタの挿脱に関する調整情報が記述される調整コマンドであって、前記赤外線遮断フィルタを前記光路に挿入する場合及び前記赤外線遮断フィルタを前記光路から抜去する場合のそれぞれについて前記調整情報が別々に記述されることができる調整コマンドを、前記外部装置からネットワーク経由で受信する受信ステップと、
前記受信ステップにて受信された調整コマンドに基づき、前記高感度化部及び前記挿脱部のそれぞれを互いに異なるタイミングで制御する制御ステップと、
をコンピュータに実行させるためのプログラム。
【請求項２７】
撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、前記高感度化部及び前記挿脱部のそれぞれを制御する制御部と、を有する撮像装置とネットワーク経由で通信するクライアント装置を制御するためのプログラムであって、
前記赤外線遮断フィルタの挿脱に関する調整情報が記述される調整コマンドを、前記撮像装置にネットワーク経由で送信する送信ステップ、
をコンピュータに実行させ、
前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができるコマンドであって、前記制御部が前記高感度化部及び前記挿脱部のそれぞれを互いに異なるタイミングで制御するために必要なコマンドであることを特徴とするプログラム。
【請求項２８】
撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有する撮像装置と、当該撮像装置とネットワーク経由で通信するクライアント装置と、で構成される撮像システムを制御するためのプログラムであって、
前記撮像装置にて
前記高感度化部及び前記挿脱部のそれぞれを制御する制御ステップ、
をコンピュータに実行させ、
前記クライアント装置にて、
前記赤外線遮断フィルタの挿脱に関する調整情報が記述される調整コマンドを、前記撮像装置にネットワーク経由で送信する送信ステップ、
をコンピュータに実行させ、
前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができ、
前記制御ステップにて、前記送信ステップにて送信された調整コマンドに基づき、前記高感度化部及び前記挿脱部のそれぞれを互いに異なるタイミングで制御することを特徴とするプログラム。
【手続補正２】
【補正対象書類名】明細書
【補正対象項目名】００１０
【補正方法】変更
【補正の内容】
【００１０】
上記目的を達成するために、本発明の撮像装置は、外部のクライアント装置とネットワークを関して通信可能に接続された撮像装置であって、撮像光学系と、前記撮像光学系によって結像された被写体像を撮像して画像信号を生成する撮像手段と、低輝度被写体に対し高感度撮影を行う高感度撮影手段と、前記撮像光学系における光路上の赤外線遮断フィルタを挿脱するための挿脱手段と、前記ネットワークを介して前記挿脱手段による赤外線遮断フィルタの挿脱を前記撮像装置に自動で制御させるための自動挿脱制御命令とともに前記挿脱手段による赤外線遮断フィルタの挿脱に関する自動調整情報を前記外部のクライアントから受信するための受信手段と、前記受信手段により受信された自動挿脱制御命令および自動調整情報に基づき前記挿脱手段と前記高感度撮影手段とを自動制御するための制御手段と、を具備し、前記自動調整情報が、前記赤外線遮断フィルタを前記撮像光学系の光路上に挿入する場合の第一の自動調整情報、前記赤外線遮断フィルタを前記撮像光学系の光路上から抜去する場合の第二の自動調整情報のどちらか一方または両方と、前記赤外線遮断フィルタの前記撮像光学系の光路上からの挿脱に共通に使用される第三の自動調整情報とを含む場合には、前記制御手段は、前記第一、及び、第二の自動調整情報のどちらか一方または両方に基づき前記挿脱手段を自動で制御し、前記第三の自動調整情報に基づき前記高感度撮影手段を自動で制御することを特徴とする。
また他の発明は、外部装置とネットワーク経由で通信する撮像装置であって、撮像光学系と、
赤外線を遮断する赤外線遮断フィルタと、前記撮像光学系の光路に前記赤外線遮断フィルタを挿脱する挿脱手段と、前記撮像光学系により結像された被写体の像を撮像する撮像手段と、前記赤外線遮断フィルタを前記撮像光学系の光路から抜去すること以外の手段で、前記撮像手段から出力される映像信号を明るくする高感度化手段と、前記赤外線遮断フィルタの挿脱に関する調整情報が記述される調整コマンドであって、前記赤外線遮断フィルタを前記光路に挿入する場合及び前記赤外線遮断フィルタを前記光路から抜去する場合のそれぞれについて前記調整情報が別々に記述されることができる調整コマンドを、前記外部装置からネットワーク経由で受信する受信手段と、前記受信手段で受信された調整コマンドに基づき、前記高感度化手段及び前記挿脱手段のそれぞれを互いに異なるタイミングで制御する制御手段と、を備えることを特徴とする。また他の発明は、撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、前記高感度化部及び前記挿脱部のそれぞれを互いに異なるタイミングで制御する制御部と、を有する撮像装置とネットワーク経由で通信するクライアント装置であって、前記赤外線遮断フィルタの挿脱に関する調整情報が記述される調整コマンドを、前記撮像装置にネットワーク経由で送信する送信手段、を備え、前記送信手段により送信される調整コマンドは、前記赤外線遮断フィルタを前記光路に挿入する場合及び前記赤外線遮断フィルタを前記光路から抜去する場合のそれぞれについて前記調整情報が別々に記述されることができるコマンドであって、前記制御部が前記高感度化部及び前記挿脱部のそれぞれを互いに異なるタイミングで制御するために必要なコマンドであることを特徴とする。また他の発明は、撮像装置と、当該撮像装置とネットワーク経由で通信するクライアント装置と、で構成される撮像システムであって、前記撮像装置は、撮像光学系と、赤外線を遮断する赤外線遮断フィルタと、前記撮像光学系の光路に前記赤外線遮断フィルタを挿脱する挿脱手段と、前記撮像光学系により結像された被写体の像を撮像する撮像手段と、前記赤外線遮断フィルタを前記撮像光学系の光路から抜去すること以外の手段で、前記撮像手段から出力される映像信号を明るくする高感度化手段と、前記高感度化手段及び前記挿脱手段のそれぞれを互いに異なるタイミングで制御する制御手段と、を備え、前記クライアント装置は、前記赤外線遮断フィルタの挿脱に関する調整情報が記述される調整コマンドを、前記撮像装置にネットワーク経由で送信する送信手段、を備え、前記送信手段により送信される調整コマンドは、前記赤外線遮断フィルタを前記光路に挿入する場合及び前記赤外線遮断フィルタを前記光路から抜去する場合のそれぞれについて前記調整情報が別々に記述されることができ、前記受信手段は、前記送信手段により送信された調整コマンドに基づき、前記高感度化手段及び前記挿脱手段のそれぞれを互いに異なるタイミングで制御することを特徴とする。また他の発明は、撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有し、外部装置とネットワーク経由で通信する撮像装置の制御方法であって、前記赤外線遮断フィルタの挿脱に関する調整情報が記述される調整コマンドであって、前記赤外線遮断フィルタを前記光路に挿入する場合及び前記赤外線遮断フィルタを前記光路から抜去する場合のそれぞれについて前記調整情報が別々に記述されることができる調整コマンドを、前記外部装置からネットワーク経由で受信する受信ステップと、前記受信ステップにて受信された調整コマンドに基づき、前記高感度化部及び前記挿脱部のそれぞれを互いに異なるタイミングで制御する制御ステップと、を備えることを特徴とする。また他の発明は、撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、前記高感度化部及び前記挿脱部のそれぞれを制御する制御部と、を有する撮像装置とネットワーク経由で通信するクライアント装置の制御方法であって、前記赤外線遮断フィルタの挿脱に関する調整情報が記述される調整コマンドを、前記撮像装置にネットワーク経由で送信する送信ステップ、を備え、前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができるコマンドであって、前記制御部が前記高感度化部及び前記挿脱部のそれぞれを互いに異なるタイミングで制御するために必要なコマンドであることを特徴とする。また他の発明は、撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有する撮像装置と、当該撮像装置とネットワーク経由で通信するクライアント装置と、で構成される撮像システムの制御方法であって、前記撮像装置にて前記高感度化部及び前記挿脱部のそれぞれを制御する制御ステップ、を備え、前記クライアント装置にて、前記赤外線遮断フィルタの挿脱に関する調整情報が記述される調整コマンドを、前記撮像装置にネットワーク経由で送信する送信ステップ、を備え、前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができ、
前記制御ステップにて、前記送信ステップにて送信された調整コマンドに基づき、前記高感度化部及び前記挿脱部のそれぞれを互いに異なるタイミングで制御することを特徴とする。また他の発明は、撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有し、外部装置とネットワーク経由で通信する撮像装置を制御するためのプログラムであって、前記赤外線遮断フィルタの挿脱に関する調整情報が記述される調整コマンドであって、前記赤外線遮断フィルタを前記光路に挿入する場合及び前記赤外線遮断フィルタを前記光路から抜去する場合のそれぞれについて前記調整情報が別々に記述されることができる調整コマンドを、前記外部装置からネットワーク経由で受信する受信ステップと、前記受信ステップにて受信された調整コマンドに基づき、前記高感度化部及び前記挿脱部のそれぞれを互いに異なるタイミングで制御する制御ステップと、をコンピュータに実行させる。また他の発明は、撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、前記高感度化部及び前記挿脱部のそれぞれを制御する制御部と、を有する撮像装置とネットワーク経由で通信するクライアント装置を制御するためのプログラムであって、前記赤外線遮断フィルタの挿脱に関する調整情報が記述される調整コマンドを、前記撮像装置にネットワーク経由で送信する送信ステップ、をコンピュータに実行させ、前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができるコマンドであって、前記制御部が前記高感度化部及び前記挿脱部のそれぞれを互いに異なるタイミングで制御するために必要なコマンドであることを特徴とする。また他の発明は、撮像光学系と、赤外線を遮断する赤外線遮断フィルタと、前記撮像光学系の光路に前記赤外線遮断フィルタを挿脱する挿脱部と、前記撮像光学系により結像された被写体の像を撮像する撮像部と、前記赤外線遮断フィルタを前記撮像光学系の光路から抜去すること以外の手段で、前記撮像部から出力される映像信号を明るくする高感度化部と、を有する撮像装置と、当該撮像装置とネットワーク経由で通信するクライアント装置と、で構成される撮像システムを制御するためのプログラムであって、前記撮像装置にて前記高感度化部及び前記挿脱部のそれぞれを制御する制御ステップ、をコンピュータに実行させ、前記クライアント装置にて、前記赤外線遮断フィルタの挿脱に関する調整情報が記述される調整コマンドを、前記撮像装置にネットワーク経由で送信する送信ステップ、をコンピュータに実行させ、前記送信ステップにて送信される調整コマンドは、前記赤外線遮断フィルタを前記光路に挿入する場合及び前記赤外線遮断フィルタを前記光路から抜去する場合のそれぞれについて前記調整情報が別々に記述されることができ、前記制御ステップにて、前記送信ステップにて送信された調整コマンドに基づき、前記高感度化部及び前記挿脱部のそれぞれを互いに異なるタイミングで制御することを特徴とする。